(57)【特許請求の範囲】
【請求項１】
下部ユニット及び前記下部ユニットにヒンジを支点として回動可能に取り付けられた上部ユニットと、
原稿を積載するための原稿積載部と、
前記原稿を搬送する搬送手段と、
前記上部ユニットと前記下部ユニットとの間に形成され、前記原稿積載部から前記ヒンジが設けられた方向に向かって前記原稿が搬送される原稿搬送路と、
前記原稿搬送路の幅方向に延在し、前記搬送手段により前記原稿搬送路を搬送中の前記原稿の画像を読み取る画像読取手段と、
前記画像読取手段に付着したゴミを検知する検知手段と、
前記原稿の画像読み取りに関する画面を表示可能であり、前記上部ユニットにおける前記原稿搬送路と重なる位置に設けられた表示手段と
を備え、
前記上部ユニットは、前記ヒンジを支点として回動することで前記原稿搬送路を開放することが可能であり、
前記表示手段は、前記画像読取手段に対応する画像を、その長手方向を前記画像読取手段の長手方向と並行に、かつ、前記画像読取手段の長手方向範囲内に重ねて表示すると共に、前記検知手段によって検知されたゴミが付着する位置を示す画像を表示することを特徴とする画像読取装置。
【請求項２】
前記画像読取手段で読み取った画像を、前記原稿の搬送に連動して、前記表示手段にスクロールしながら表示することを特徴とする請求項１に記載の画像読取装置。
【請求項３】
前記原稿積載部に積載された原稿の幅方向を規制する規制ガイドであって、前記表示手段における幅方向に移動して前記原稿の幅方向を規制するように構成された規制ガイドをさらに有し、
前記規制ガイドは、前記画像読取装置の筐体における前記幅方向に対し、一方側に寄って配置され、
前記表示手段は、前記筐体の前面に設けられた表示パネルにおける前記一方側に寄って配置され、前記表示パネルにおける他方側には操作ボタンが設けられたことを特徴とする請求項１または２に記載の画像読取装置。
【請求項４】
前記規制ガイドの規制領域の中心線と、前記表示手段の幅方向の中心線が同じ位置になるように前記表示手段が配置されたことを特徴とした請求項３に記載の画像読取装置。
【請求項５】
前記上部ユニットを回動することで前記原稿搬送路を開放した状態において、前記ゴミが付着した位置を示す画像を前記表示手段に表示することを特徴とする請求項１から４のいずれか一項に記載の画像読取装置。
【請求項６】
前記搬送手段によって搬送された原稿を積載する排出トレイを備え、
前記排出トレイは、前記表示手段と重なるように前記画像読取装置の本体に対して折り畳むことが可能であり、
前記下部ユニットの最下部には、前記本体の前方に突出する突出部を有し、
前記突出部における突出量は、前記排出トレイが前記画像読取装置の本体に折り畳まれた状態において、前記排出トレイの下方に収まる突出量であることを特徴とする請求項５に記載の画像読取装置。
【請求項７】
前記原稿搬送路を示す画像に対し、ゴミが付着した位置を前記検知手段に基づいて重ねて前記表示手段に表示させることを特徴とする請求項１から６のいずれか一項に記載の画像読取装置。
【請求項８】
前記原稿の幅方向の読取領域を選択できる読取領域選択手段を有し、
前記表示手段において、選択された前記読取領域に対応する表示を行うことを特徴とする請求項１から７のいずれか一項に記載の画像読取装置。
【請求項９】
前記表示手段を前記画像読取装置から取り外せることを特徴とする請求項１から８のいずれか一項に記載の画像読取装置。
【発明の詳細な説明】
【技術分野】
【０００１】
本発明は、シート状の原稿を搬送しながら原稿に形成されている画像を読み取る画像搬送方式の画像読取装置に関し、特に、読取画像の表示が可能な表示手段を備えた画像読取装置に関する。
【背景技術】
【０００２】
従来のシート状の原稿を搬送しながら原稿に形成されている画像を読み取り、読取画像を表示する装置が特許文献１に開示されている。画像読取装置の前面部に液晶ディスプレイが配置されており、読み取る原稿種類に応じた原稿ガイドを液晶ディスプレイに表示し、ユーザーはそれに合わせて原稿を挿入する。
【先行技術文献】
【特許文献】
【０００３】
【特許文献１】特開平９−１１６７４５号公報
【発明の概要】
【発明が解決しようとする課題】
【０００４】
画像読取装置は、画像読取条件としてカラー、グレー、白黒の読取モードや解像度、コントラスト等を設定することが可能である。ユーザーは設定条件が適切であったかを読み取った画像で確認する。必要であれば、再度設定し直して画像を読み取る。画像の確認時に、読み取った画像が縮小表示されていると、詳細を確認し難く、等倍表示、或は拡大表示させてから画像を確認する。液晶表示部の表示幅が搬送させる原稿幅より小さいと、読み取った画像を等倍表示した場合に原稿幅全体を表示することが出来ず、読み取った画像の両端部の画像を確認するためには、表示された画像を左右にスクロールする必要があり操作性が悪い。
【０００５】
本発明は、スキャンした画像内容を確認し易くユーザーに伝えることによって使用性を向上できる技術を提供するものである。
【課題を解決するための手段】
【０００６】
そこで、本発明に係る画像読取装置は、
下部ユニット及び前記下部ユニットにヒンジを支点として回動可能に取り付けられた上部ユニットと、
原稿を積載するための原稿積載部と、
前記原稿を搬送する搬送手段と、
前記上部ユニットと前記下部ユニットとの間に形成され、前記原稿積載部から前記ヒンジが設けられた方向に向かって前記原稿が搬送される原稿搬送路と、
前記原稿搬送路の幅方向に延在し、前記搬送手段により前記原稿搬送路を搬送中の前記原稿の画像を読み取る画像読取手段と、
前記画像読取手段に付着したゴミを検知する検知手段と、
前記原稿の画像読み取りに関する画面を表示可能であり、前記上部ユニットにおける前記原稿搬送路と重なる位置に設けられた表示手段と
を備え、
前記上部ユニットは、前記ヒンジを支点として回動することで前記原稿搬送路を開放することが可能であり、
前記表示手段は、前記画像読取手段に対応する画像を、その長手方向を前記画像読取手段の長手方向と並行に、かつ、前記画像読取手段の長手方向範囲内に重ねて表示すると共に、前記検知手段によって検知されたゴミが付着する前記画像読取手段における位置を示す画像を表示することを特徴とする。
【発明の効果】
【０００７】
本発明によれば、原稿幅を規制する規制ガイドの規制幅あるいは、原稿読取幅よりも表示部の表示幅の方が大きいため、読み取った画像を等倍もしくはそれ以上の大きさで表示できる。等倍以上で表示した場合には、画像読取設定などが適切な設定になっているか容易に確認することができる。
【図面の簡単な説明】
【０００８】
【図１】本発明の一実施形態に係る画像読取装置の概略図。
【図２】図１の画像読取装置の制御ユニットのブロック図。
【図３】本発明の一実施形態に係る画像読取装置の正面図。
【図４】本発明の一実施形態に係る画像読取装置の他の正面図。
【図５】本発明の一実施形態に係る画像読取装置の上面図。
【図６ａ】本発明の一実施形態に係る画像読取装置の概略断面図。
【図６ｂ】本発明の一実施形態に係る画像読取装置の概略斜視図。
【図６ｃ】本発明の一実施形態に係る画像読取装置の他の概略断面図。
【図７】本発明の一実施形態に係る画像読取装置の概略断面図。
【図８】本発明の一実施形態に係る画像読取装置の他の概略断面図。
【図９】本発明の一実施形態に係る画像読取装置の斜視図。
【図１０ａ】本発明の一実施形態に係る画像読取装置の断面図。
【図１０ｂ】本発明の一実施形態に係る画像読取装置の他の断面図。
【図１１】本発明の実施例２に係る画像読取装置の斜視図。
【図１２ａ】本発明の実施例３に係る画像読取装置の表示部の正面図。
【図１２ｂ】本発明の実施例３に係る画像読取装置の表示部の他の正面図。
【図１３】本発明の実施例４に係る画像読取装置の正面図。
【図１４】本発明の実施例５に係る画像読取装置の正面図。
【発明を実施するための形態】
【０００９】
＜実施例１＞
図１は本発明の一実施形態に係る画像読取装置Ａの概略図である。
＜装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、名刺、カード類等の原稿であり、厚手の原稿であっても、薄手の原稿であってもよい。カード類は、例えば、保険証、免許証、クレジットカード等を挙げることができる。搬送媒体Ｓには、また、パスポートなどの冊子も含まれる。冊子を対象とする場合、ホルダを用いることができる。ホルダに見開き状態の冊子を収容して載置台１に載置することで、冊子がホルダと共に搬送され、その画像を読み取ることができる。
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
＜駆動部＞
駆動部３と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１０】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１１】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１２】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００１３】
排出トレイ２は、画像読取装置Ａに対して回動可能なように、画像読取装置Ａの下方に設けられた第１ヒンジ１０１を介して軸支されている。また、第１ヒンジ１０１側の第１排出トレイ２ａとその先端側に接続された第２排出トレイ２ｂとから構成されており、第２排出トレイ２ｂは第１排出トレイ２ａに対して回動可能に軸支されている。
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００１４】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
＜レジストセンサ＞
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化すること
を原理として搬送媒体Ｓを検出する。
【００１５】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００１６】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
＜CISの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
＜ブロック図の説明＞
図２を参照して制御部８０について説明する。図２は画像読取装置Ａの制御部８のブロック図である。
【００１７】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００１８】
通信部８４は、外部装置との情報通信を行うインターフェースである。外部装置としてＰＣ（パソコン）、サーバーを想定した場合、通信部８４としては、例えば、Ethernetインターフェース、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００１９】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
＜開始指示による駆動＞
画像読取装置Ａの基本的な動作について説明する。制御部８０は、後述するタッチパネルから、画像読み取りの開始指示を受けると、第１搬送部１０〜第３搬送部３０の駆動を開始する。載置台１に積載された搬送媒体Ｓはその最も下に位置する搬送媒体Ｓから１つずつ搬送される。読み取った画像データはインターフェース部を介して、サーバー等に送られる。
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０、７０による画像の読み取りを開始し、読み取った画像を一次記憶して順次外部のサーバー等へ送信する。画像が読み取られた搬送媒体Ｓは第３搬送部３０により排出トレイ２に排出されてその搬送媒体Ｓの画像読取処理が終了する。
＜排紙構造＞
図３は本発明の一実施形態に係る画像読取装置Ａの排出トレイ２を展開した状態の正面図である。
【００２０】
正面上部の表示パネル９０には表示画面９３とタッチパネル９４が重ねて設けられ、隣接した位置に操作キー１２２が設けられている。
【００２１】
正面下部の下部パネル９１には排出開口９２が設けられており、第３搬送部３０によって搬送された搬送媒体Ｓが排出される。
【００２２】
図４は本発明の一実施形態に係る画像読取装置Ａの排出トレイ２を収納した状態の正面図である。
【００２３】
排出トレイ２は、画像読取装置Ａに対して回動可能なように、画像読取装置Ａの下方に設けられた第１ヒンジ１０１を介して軸支されており、第１排出トレイ２ａ及び第２排出トレイ２ｂによって本体前面を覆うように構成されている。
【００２４】
第１排出トレイ２ａは、第１ヒンジ１０１を支点として回動可能に画像読取装置Ａの本体１００に取り付けられている。第１排出トレイ２ａは、下部パネル９１及び排出開口９２を合わせた面積と同サイズで形成され、図４に示すような排出トレイ２の収納状態において、第１ヒンジ１０１を支点として回動し、下部パネル９１及び排出開口９２を覆うように折り畳まれる。
【００２５】
第２排出トレイ２ｂは、表示パネル９０と同サイズ以上で形成され、図４に示すような排出トレイ２の収納状態において、第１排出トレイ２ａの先端に設けられた第２ヒンジ１０２を支点として回動し、表示パネル９０と重なるように折り畳まれる。
【００２６】
図５は本発明の一実施形態に係る画像読取装置Ａの排出トレイ２を展開した状態における上面図である。
【００２７】
第３搬送部３０により搬送されてきた搬送媒体Ｓは、排出開口９２を経て第１排出トレイ２ａに排出され、搬送媒体Ｓのサイズによっては第２排出トレイ２ｂまで到達し、案内される。
【００２８】
第１排出トレイ２ａには、排出位置調整部材１２０が回動可能に設けられており、名刺などのような第１排出トレイ２ａに対して小さいサイズの搬送媒体Ｓが排出されるときなどに、起立状態に回動させることで搬送媒体Ｓが停止する位置を調整し、排出された搬送媒体Ｓを散らばりにくくすることができる。
【００２９】
また、第２排出トレイ２ｂには、透光部１２１が設けられており、表示パネルに設けられた操作キー１２２と重なる位置に配置されている。操作キー１２２は本体電源をオン、オフする電源ボタンとなっており、電源オン状態においてはボタンが点灯するように構成されている。操作キー１２２と重なる位置に配置された透光部１２１は、排出トレイ２の収納状態においても操作キー１２２が点灯状態であるか、消灯状態であるかを確認することができ、画像読取装置Ａの電源状態を確認することができる。
【００３０】
本実施例では、第１排出トレイ２ａと第２排出トレイ２ｂから構成される排紙トレイについて、説明しているが、一体で構成された排紙トレイで表示パネル９０を覆う構成でも良い。
＜給送構造詳細＞
載置台１には、配置される搬送媒体Ｓの大きさに合わせて搬送方向に対して直交する方向にスライド可能に取り付けられた規制部材１１１ａ、１１１ｂが設けられている。本実施例では、規制部材１１１ａ、１１１ｂは不図示の連結部材を介して左右対称に可動するが別々に可動しても良い。中心線Ｘは規制部材１１１ａ、１１１ｂの中心線で、搬送される原稿の中心線でもある。
＜表示パネルの構成＞
第２排出トレイ２ｂの収納状態において第２排出トレイ２ｂと重なる位置に設けられた表示パネル９０には、表示画面９３とタッチパネル９４を重ねて配置されている。表示画面９３の表示内容に沿ってタッチパネル９４を操作することで、画像読取設定や、画像読取開始等を指示することができる。表示パネル９０は経路ＲＴに対して略平行に配置されている。
【００３１】
表示画面９３は、中心線Ｘに対して左右対称に位置するように配置している。尚、本発明の一実施形態に係る画像読取装置Ａで、搬送可能な最大サイズとして、レターサイズ（２１６ｍｍ）を給送可能に構成されており、規制部材１１１ａ、１１１ｂの最大可動幅は、レターサイズ＋αで例えばＷｍａｘ＝２２０ｍｍである。原稿が斜行した場合でも画像を読み取れるように、画像読取幅は、２２０ｍｍ程度に設定している。表示画面９３で表示出来る幅は例えば２２４ｍｍであり、Ｗｍａｘを超える長さとなっている。尚、本実施形態に係る画像読取装置Ａの表示画面９３は、横幅２２２．７ｍｍ、縦１２５．３ｍｍの１０．１インチサイズを使用している。
【００３２】
これにより、例えば、読み取った画像を等倍で表示画面９３に全幅を表示することが可能となり、スキャンした画像の状態確認が容易に行えるため、ユーザーの利便性を向上することができる。
【００３３】
読み取った画像を読み取った順に搬送中に読取画像を上方にスクロールしながら表示した場合には、ユーザーは読取画像全体の仕上がりをリアルタイムに確認することができる。また、画像読取中は等倍相当の大きさで表示し、画像読取後は画像全体を表示部に表示出来るように縮小して表示するなど、表示の仕方を使い分けることで、ユーザーは読み取った画像を容易に確認することができる。
【００３４】
中心線Ｘに対して、表示画面９３を左右対称に配置することで、規制部材の最大可動域より表示画面９３の表示部を同等以上に大きくしつつ、装置が大きくなることを防ぐことができる。
【００３５】
装置の大きさに制約がない場合には、表示画面９３を中心線Ｘに対して非対称に配置してもよい。表示画面９３の幅方向端部を、規制部材の最大可動領域より外側に配置することで、搬送媒体Ｓが搬送される幅方向の位置と表示画面９３で表示する画像の幅方向の位置を合わせて等倍表示することが可能になる。さらに、操作部１２２を配置している場所まで、表示画面９３幅方向のサイズをさらに大きくし（例えば、横幅３０５．７ｍｍ、縦２２０．６ｍｍ、１２．９インチサイズのディスプレイ）、表示画面９３上に操作部を設けても良い。
【００３６】
本実施の形態に係る画像読取装置Ａの表示画面９３としては、レターサイズ（２１６ｍｍ）を超える幅のディスプレイを用いることで、規制部材１１１ａ、１１１ｂを最大の幅にした際にも原寸大の画像を表示画面９３に表示することができるため、例えば、横幅２４０ｍｍ、９．７インチサイズのディスプレイなどを用いてもよい。
＜給紙構造＞
第一搬送部１０で搬送媒体Ｓの紙詰まりや、媒体を搬送できない不送りを防止するための構成の一例として、図６ａで第一搬送部１０付近の構成について説明する。下部ユニット１０４に設けられた駆動部４は、タイミングベルト３１８と歯車３１９ａ、３１９ｂ、図６ｂで説明する伝達部材を介して、駆動ローラ２１、３１に動力を伝達する。ここで、搬送媒体Ｓが図示Ｄ１方向に搬送されるように駆動部４が回転駆動する方向を正転、その反対方向を逆転とする。歯車３１９ａ，図６ｂで説明する伝達部材、歯車３２１、歯車３２２、カム３３４を介してピックアップアーム３０９及びストッパー３０７へ動力が伝達される。駆動部４を逆転させて、歯車３２１を介して歯車３２２が矢印ｗ１方向に回転する場合に、カム部材３３４の作用によりストッパー３０７とピックアップアーム３０９がそれぞれ矢印ｗ２，ｗ３ｃとは反対方向に連動し、ストッパー３０７は搬送路３１０を閉じた状態（閉状態）、ピックアップアーム３０９は送りローラ１１から退避した状態（退避状態）となる。搬送媒体Ｓを載置台１にセットする際に、ストッパー７が搬送路３１０を塞ぐ状態になっていることで、原稿媒体が搬送路３１０に侵入することを防止することが出来る。また、搬送媒体Ｓは、ストッパー７に突き当たることで搬送媒体Ｓの先端を揃え、第１搬送部１０で原稿を搬送するときにジャムが起こらずに安定して搬送媒体Ｓを搬送することが出来る。
【００３７】
図６ｂで駆動の伝達の詳細な構成について説明する。図６ｂに示すように、駆動部４はタイミングベルト３１８を介して歯車３１９aを駆動させる。搬送ローラ２１と一体で回転する搬送軸３４２は、歯車３１９aと一体で回転する。搬送軸３４２は、ワンウェークラッチ３４１を介して歯車３４０を回転駆動させる。駆動部４が逆転した場合（図示矢印方向に回転）に、ワンウェークラッチ３４１がロック状態となって、搬送軸３４２の動力は、歯車３４０に伝達し、歯車３２１に動力を伝達する。駆動部４が正転した場合（搬送媒体Ｓを搬送する場合）には、ワンウェークラッチ３４１がアンロック状態となり、搬送軸３４２の動力は、歯車３４０に伝達されない。これにより、ストッパー３０７とピックアップアーム３０９はばね３３５、３３６の付勢力によりそれぞれ矢印ｗ２、ｗ３の方向に移動する。そして、図６ｃのようにストッパー３０７は搬送路３１０を開いた状態（開状態）、ピックアップアーム３０９はコロ３０８を介して載置されている搬送媒体Ｓを送りローラ１１に圧接した状態となり、搬送媒体Ｓが搬送されない不送りを防止することが出来る。
【００３８】
歯車３２１は上部ユニット１０３に設けられており、後述する上部ユニット１０３が開いた状態のときは、歯車３２１は、下部ユニット１０４に設けられた歯車３１９aから離間する。開閉する上下部ユニットを介して配置された歯車３２１と歯車３４０の軸間距離の精度が悪く騒音の原因となることもあるが、搬送媒体Ｓを搬送するときには歯車３２１、３４０共に停止していることで、騒音を防止することが出来る。駆動部４を逆転した場合は、低速で駆動させるため、歯車３２１、３４０が噛み合って回転しても、気にならない程度の騒音に抑えることができる。
＜上部ユニット詳細＞
図７は本発明の一実施形態に係る画像読取装置Ａの概略断面図である。
【００３９】
本体１００は、上部ユニット１０３と下部ユニット１０４とから構成され、上部ユニット１０３は下部ユニット１０４に対し、本体ヒンジ１０５を支点として回動可能に取り付けられている。
【００４０】
上部ユニット１０３は、表示パネル９０に規制部材の最大可動幅Ｗｍａｘを超える幅の表示画面９３及び表示画面９３の支持フレーム板金を備えているため、図８に示すように上部ユニット１０３を展開した状態における重心は、図１に示すような上部ユニット１０３を閉じた状態よりも搬送方向前方側に大きくずれることになる。
【００４１】
したがって、上部ユニットを開く際に勢いがあると画像読取装置Ａが転倒してしまうことがあるが、本実施形態に係る画像読取装置Ａにおいては、突出部１３０を有することにより、上部ユニット１０３の開閉に伴う重心移動が起こっても画像読取装置Ａの転倒を防ぐことができる。突出部１３０の突出量は、図７のような上部ユニット１０３及び排出トレイ２の収納状態においては、排出トレイ２の下方に収まるような突出量である。上部ユニット１０３の開閉による画像読取装置Ａの転倒を防止しつつ、排出トレイ２を収納した収納状態においては必要以上に突出させず、ユーザーの邪魔にならないようにすることができる。
【００４２】
上述のように、転倒防止用の突出部１３０を設ける他に、上部ユニット１０３が勢いよく開かないように、図９に示すダンパー機構１５１を設けても良い。図１０は、ダンパー機構１５１の構成概略断面図で、図１０ａは上部ユニット１０３を閉じた状態で、図１０ｂは上部ユニット１０３を開いた状態である。ダンパーロッド１５２は、上部ユニット１０３に設けられたヒンジ部１５４に回転可能に保持されている。ダンパーロッド１５２の他端に設けられたヒンジ部１５５は、下部ユニット１０４に設けられているスリット穴１５６に保持され、図１０ａの２つの図示矢印方向にスライド移動及び回転可能である。図１０ａの状態から上部ユニット１０３を開けると、ダンパーロッド１５２の当接部１５７は受け部材１５８に当接する。弾性部材１５３は受け部材１５８を介してダンパーロッド１５２の当接部１５７を図１０ｂの図示矢印方向に押し返すことで、上部ユニット１０３が勢いよく開くことを防止する。ダンパー機構１５１は、原稿が搬送される搬送路を避けて設けており、搬送路に対して装置の左右どちら側に設けても構わない。本実施例では、搬送路に対して操作キー１２２と同じ側に設け、操作キーの背面下部に設けることで、装置の大型化を防止している。
＜上部ユニットのアース＞
図１０ｂの状態から上部ユニット１０３を閉じる際に勢いよく回動させると、上部ユニット１０３が下部ユニット１０４側に接触して大きな衝撃が加わり、大きな音が発生してしまうことがある。本実施形態に係る画像読取装置Ａにおいては、図９に示すように上部ユニット１０３の分離ローラ１２の両脇に、金属製の弾性部材１４０が設けられている。
【００４３】
上部ユニット１０３が閉じた状態となる際に、上部弾性部材１４０が下部ユニット１０４側に設けられた接点部１４１に弾性付勢されながら閉じた状態となる。上部弾性部材１４０の上部ユニット１０３に取り付けられる側の端部は、上部ユニット１０３内に設けられた電装部品のグランド側と導通しており、上部弾性部材１４０が接点部１４１に接触することによって下部ユニット１０４内に配置された電装部品のグランド側に導通される。
【００４４】
したがって、上部ユニット１０３の閉じた状態において、上部弾性部材１４０によって上部ユニット１０３側のアースを取ることができる。
＜実施例２＞
実施例１で説明した画像読取装置Ａの表示画面９３に表示させる内容について、説明する。レターサイズ（２１６ｍｍ）を表示部に表示させる場合、原稿幅に対して、表示可能幅は２２２．７ｍｍであるため、等倍で表示させた場合には幅方向は全域表示可能である。長さ方向に関しては、表示画面を一定速度で縦スクロール表示する、或いはユーザーが縦スクロールすることで、ユーザーは読み取った画像全体を確認することができる。
【００４５】
例えば、搬送媒体Ｓの搬送中に読み取った画像を即座に順次縦スクロール表示させても良い。搬送媒体Ｓの搬送終了時は、縮小表示して画像全体を画面に表示させてもよい。
＜実施例３＞
搬送媒体Ｓを搬送する画像読取装置では、搬送媒体Ｓから落ちる紙粉が搬送路内に付着することがあるため、装置を定期的に清掃する必要がある。例えば、実施例１で説明した媒体検出センサ５０、６０の光学センサに紙粉が付着すると発光部５１で発光した光が受光部５２に届かないため、常に原稿があると誤検知する。紙粉は自重で落下し、下部ユニットに設けられた発光部５１、６１に付着することが多い。媒体検出センサ５０、６０が正常に動作しない場合には、ユーザーに清掃を促す。図１１のように搬送路の画像を等倍のサイズで表示画面９３に表示させ、清掃が必要な部分を図のように四角く囲って、清掃部１６０を表示することで、ユーザーはどの位置を清掃すれば良いのか直感的に理解することが可能である。
【００４６】
また、画像読取ユニット７０に紙粉等のゴミが付着すると、読み取った画像にスジが発生する。画像読取ユニット７０の清掃方法も、媒体検出センサ５０、６０の清掃と同様、図１２ａのように搬送路の画像を等倍表示させて、表示画面９３に表示された読取センサ７０ａの清掃が必要な部分を図１２ａのように四角く囲って清掃部１６１として表示することで、ユーザーが容易に清掃位置を確認することが出来る。
【００４７】
ゴミが付着していることの検出手段としては、画像読取ユニット７０は、搬送媒体Ｓの読み取りの前に、対向する位置に配置された色基準を読み込んでシェーディング補正を行う。その際に、主走査方向に並んで配置されたＣＩＳについては全て同じ検出値を読み込むはずなのに、一箇所だけ出力が他の箇所と異なるこのなどによってゴミの付着を検出することができる。
【００４８】
ローラの清掃にも上記の構成を用いて、表示画面９３に清掃部分を表示させてもよい。例えば、表示画面９３に表示された分離ローラ１１aに清掃部分を表示させるなど、駆動ローラ、送りローラ等のローラの清掃を指示してもよい。
【００４９】
さらに、画像読取装置Ａのユーザーメンテナンスでは、エラーコードやメッセージ等を液晶表示装置等に表示してユーザーに清掃を促すことがある。原稿が搬送される搬送路上には、原稿を検知する媒体検出センサや、斜行を検知する斜行検知センサ等が設けられており、紙粉等が付着するとセンサが機能しないことがある。前記センサが機能しない場合に、エラーコードやメッセージを表示し、同時にエラーの発生要因となっている箇所を原寸大で表示することでユーザーに清掃を促せば、ユーザーはどこを清掃すれば良いのかが直観的に分かりやすくなる。
【００５０】
また、所定時間や所定の動作回数にかけて、例えば、媒体検出センサ５０、６０において、同じ位置に同じ検出値が連続した場合に、汚れやゴミが付着している可能性があると判断し、清掃が必要な部分を上記のように画面に表示してもよく、その場合、「汚れやゴミが付着していませんか？」などのメッセージを表示画面９３に表示する。メッセージは音声やエラー音を表すブザー音などでもよい。
【００５１】
表示画面９３の大きさについては、実施例１、２で説明したが、長さ方向に関しては、送りローラ１１及び分離ローラ１２を有する第一搬送部１０、駆動ローラ２１及び従動ローラ２２を有する第二搬送部、駆動ローラ３１及び従動ローラ３２を有する第二搬送部のすべてを等倍表示で全域表示出来るサイズにすることが望ましい。ただし、上部ユニットの上端に配置された送りローラ１１、下端に配置された第二搬送部の一部が表示されないサイズでも清掃部分を表示させることはできる。表示画面９３の位置に関しては、搬送方向（経路ＲＴ）に対して、各種搬送ローラと表示させるローラが同じ位置で表示できるようにすることで、表示画面９３に表示された搬送路はあたかも装置内部が透けて見えるようにすることが出来るため、ユーザーはローラ、読取センサ等の位置を把握しやすい。
【００５２】
また、媒体検出センサや、読取センサの清掃をユーザーに促す際に、表示画面９３に装置内部の搬送路を実寸で表示させれば、あたかも装置内部が透けて見えるように表示して清掃する位置を指示することができ、ユーザーはどの位置を清掃すれば良いか容易に理解することが出来る。
【００５３】
ここで、本実施形態に係る画像読取装置Ａの表示画面９３の表示態様について詳述する。
【００５４】
図１２ｂは、表示画面９３の表示態様の一例である。
【００５５】
図１２ｂに示すように、表示画面９３に向かって左側には、画像読取装置Ａの機能に係るホームメニュー群が表示されるホームメニュー表示領域５０１が配置される。その右側にはサブメニュー群が表示されるサブメニュー表示領域５０２が配置される。サブメニュー表示領域５０２には、ホームメニュー群で選択されている機能に対応したサブメニュー群に含まれる機能を示すアイコンが表示されている。サブメニューという名称であるが、実際には画像読取装置Ａを動作させるために直接選択するメニューであり、重要なメニューである。
【００５６】
図１２ｂには、ホームメニュー群のうち、「ホーム」機能が選択されており、それに対応するサブメニュー群である、「メール」、「ＦＴＰ」、「ＦＡＸ」、「共有フォルダー」、「ＵＳＢメモリー」、「プリンター」機能を示すアイコンが上下２段で縦に３列並んで表示されている。
【００５７】
そのうち、「ＦＴＰ」機能を示すアイコン５０３は、サブメニュー表示領域に５０２において、上段の中央に表示されている。残りのアイコンは、左右対称になるように配置されている。ここで、他のホームメニュー群に対応するサブメニュー群の機能が６つに満たない場合には、上段の左から右に向かって詰めて表示される。
【００５８】
本発明に係る画像読取装置Ａの表示パネル９０の幅方向の中心線Ｙに対し、アイコン５０３がオーバーラップするような位置に表示されている。つまり、サブメニュー表示領域は、表示パネル９０の幅方向全長に対して、略中央に表示されている。
【００５９】
こうすることによって、通常のユーザは、画像読取装置Ａの正面で使用することが多く、よく選択することとなる、画像読取装置Ａの機能が正面に配置されるため、視覚的に機能が認識しやすくなる。
【００６０】
より良くは、ホームメニュー表示領域５０１の背景色を表示パネル９０における表示画面９３以外の領域の色と同じ色とすることが好ましい。一例としては、黒色などであれば、汎用的な樹脂などを用いて表示パネル９０を形成しやすい。
＜実施例４＞
画像読取装置では、読み取る原稿サイズに応じて、画像読取サイズを設定することが可能である。例えば、Ａ４、ＬＥＴＴＥＲ、Ａ５などがある。現状選択されている画像読取領域幅が何であるかを図１３のように、画像読取領域を表示するマーク１６２ａ、１６２ｂを表示画面９３に表示することで、原稿をセットする際の目安や、規制部材１１１ａ、１１１ｂのセット位置の目安になり、画面を見ながら規制部材１１１ａ、１１１ｂの位置を設定すればよく、作業性を向上させることができる。また、ユーザーは現状どの設定になっているのか視覚的に確認することが可能である。
＜実施例５＞
実施例１から４で説明した画像読取装置から表示画面９３を含む一部分だけを取り外せる構成にしてもよい。例えば、タブレット端末１６３を横向きでも縦向きでも装置に取り付けられる構成にする。画像読取装置から取り外し可能なタブレット端末１６３は、無線ＬＡＮ等の通信手段により、画像データを通信することで、実施例１と同様にスキャンした画像データをタブレット端末の表示部に表示させることができる。図１４は画像読取装置Ａに対して表示部が縦長になるようにタブレット端末１６３を配置している。タブレット端末１６３に設けられた加速度センサにより、画像読取装置にセットされたタブレット端末の設置する向きに応じて、表示部に表示する向きを決める。
【００６１】
スキャンする原稿の幅、長さに応じて、ユーザーは表示部であるタブレット端末１６３の設置する向きをかえることで、読み取った画像データを等倍に近いサイズで表示することが可能であり、容易に読取画像を確認することができる。表示部より小さいサイズの原稿であれば、スクロールなしで全体を表示することができる。その場合、読み取った画像を順次画面上方から表示させることが好ましい。
【符号の説明】
【００６２】
Ａ  画像読取装置
Ｓ  搬送媒体
１  載置台
２  排出トレイ
２ａ  第１排出トレイ
２ｂ  第２排出トレイ
３、４  駆動部
５  伝達部
１０  第１搬送部
１１  送りローラ
１２  分離ローラ
１２ａ  トルクリミッタ
２０  第２搬送部
２１  駆動ローラ
２２  従動ローラ
３０  第３搬送部
３１  駆動ローラ
３２  従動ローラ
４０  重送検出センサ
４１  発信部
４２  受信部
５０  媒体検出センサ
５１  発光部
５２  受光部
６０  媒体検出センサ
６１  発光部
６２  受光部
７０  画像読取ユニット
７１  コンタクトイメージセンサ（ＣＩＳ）
８０  制御部
８１  ＣＰＵ
８２  記憶部
８３  操作部
８４  通信部
８５  インターフェース部
９０  表示パネル
９１  下部パネル
９２  排出開口
９３  表示画面
９４  タッチパネル
１００  本体
１０１  第１ヒンジ
１０２  第２ヒンジ
１０３  上部ユニット
１０４  下部ユニット
１０５  本体ヒンジ
１１１ａ、ｂ  規制部材
１２０  排出位置調整部材
１２１  透光部
１２２  操作キー
１３０  突出部
１３１  トレイ支持部
１４０  上部弾性部材
１４１  接点部
１５１  ダンパー機構
１５２  ダンパーロット
１５３  弾性部材
１５４  ヒンジ部
１５５  ヒンジ部
１５６  スリット
１５７  当接部
１５８  受け部材
１６０  清掃部
１６１  清掃部
１６２  マーク
１６３  タブレット端末
２０１  画像読取装置
２０２  載置台
２０３  給紙口
２０４  液晶表示装置
２０５  タッチパネル
２０６、２０７  規制ガイド板
３０７  ストパー
３０８  ピックコロ
３０９  ピックアーム
３１０  搬送路
３１８  タイミングベルト
３１９  軸
３１９ａ、ｂ  歯車
３２１  歯車
３２２  歯車
３３４  カム
３３５  弾性部材
３３６  弾性部材
３４０  歯車
３４１  ワンウェークラッチ
３４２  ローラ軸
【図１】
0006619629.tif 000002
【図２】
0006619629.tif 000003
【図３】
0006619629.tif 000004
【図４】
0006619629.tif 000005
【図５】
0006619629.tif 000006
【図６ａ】
0006619629.tif 000007
【図６ｂ】
0006619629.tif 000008
【図６ｃ】
0006619629.tif 000009
【図７】
0006619629.tif 000010
【図８】
0006619629.tif 000011
【図９】
0006619629.tif 000012
【図１０ａ】
0006619629.tif 000013
【図１０ｂ】
0006619629.tif 000014
【図１１】
0006619629.tif 000015
【図１２ａ】
0006619629.tif 000016
【図１２ｂ】
0006619629.tif 000017
【図１３】
0006619629.tif 000018
【図１４】
0006619629.tif 000019